(57)【要約】【課題】  鉗子口から処置具を抜去する際に処置具に付着した水や体液等が術者等に付着したり床や周囲に垂れ落ちたりすることを抑制し、手技の容易化を図ることができる内視鏡を提供すること。【解決手段】  内視鏡システム１は、可撓性を有して体腔内に挿入可能な挿入部２と、挿入部２の基端に接続されてこれを操作可能な操作部３と、挿入部２と操作部３との内部を連通し処置具５を挿通可能な鉗子チャンネル６とを備えた内視鏡７と、鉗子チャンネル６に挿入された処置具５に付着した液等を取り除く液切り手段８とを備えている。【選択図】  図１
2005177208.tif 000002
【特許請求の範囲】
【請求項１】
処置具を挿通可能な鉗子チャンネルと、
該鉗子チャンネルに挿入された前記処置具に付着した液を取り除く液切り手段とを備えていることを特徴とする内視鏡システム。
【請求項２】
前記液切り手段が、前記鉗子チャンネルの基端に設けられた鉗子口近傍に前記鉗子チャンネルに連通可能に配され、
前記液を吸引する吸引源を備える吸引手段、又は前記液を飛散させる送気源を備える送気手段の少なくとも一方を備えていることを特徴とする請求項１に記載の内視鏡システム。
【請求項３】
前記液切り手段が、前記鉗子口に着脱可能とされた本体と、
該本体に前記処置具が貫通可能に設けられ、一端が前記鉗子口と係合可能とされ他端が開口端とされた挿通路と、
前記挿通路の他端側から分岐され、端部が前記本体の外部に開口されて前記吸引手段、又は前記送気手段と接続可能とされた連通路とを備えていることを特徴とする請求項２に記載の内視鏡システム。
【請求項４】
前記連通路が第１の連通路と第２の連通路とを備え、
前記挿通路の前記一端側に配され前記処置具が貫通可能な第１の弁部と、
前記挿通路の前記他端側に着脱可能とされ前記処置具が貫通可能な第２の弁部とを備え、
前記第１の連通路と前記第２の連通路とが、何れも前記第１の弁部と前記第２の弁部との間の前記挿通路から分岐されていることを特徴とする請求項３に記載の内視鏡システム。
【請求項５】
前記液切り手段が、前記鉗子口近傍の前記鉗子チャンネルから分岐され、端部が開口端とされて、前記吸引手段、又は前記送気手段と接続可能とされた連通路を備えていることを特徴とする請求項２に記載の内視鏡システム。
【請求項６】
前記液切り手段が、前記連通路を複数備えていることを特徴とする請求項５に記載の内視鏡システム。
【請求項７】
可撓性を有して体腔内に挿入可能な挿入部と、
該挿入部の基端に接続されてこれを操作可能な操作部と、
前記挿入部と前記操作部との内部を連通させる鉗子チャンネルと、
前記操作部に設けられ前記鉗子チャンネル内部で処置具を自動的に挿抜可能とする自動挿抜機構と、
該自動挿抜機構よりも挿入部側に配され前記鉗子チャンネル内を挿通する前記処置具に付着した液を取り除く液切り機構とを備え、
該液切り機構が、前記処置具に付着した液を吸引する吸引源を備える吸引手段、又は前記液を飛散させる送気源を備える送気手段の少なくとも一方と、
前記鉗子チャンネルから分岐され、前記操作部の外部に開口して前記吸引手段又は前記送気手段と接続可能とされた複数の連通路とを備えていることを特徴とする内視鏡システム。
【発明の詳細な説明】
【技術分野】
【０００１】
本発明は、内視鏡システムに関する。
【背景技術】
【０００２】
従来より、可撓性の内視鏡挿入部を体腔内に挿入して患部を観察しながら、この内視鏡挿入部に設けられた鉗子チャンネルに鉗子口に装着された鉗子栓から挿通して様々な処置を行う生検鉗子等の処置具が知られている（例えば、特許文献１参照。）。
【特許文献１】特開平１１−７６２４４号公報  （第１図）
【発明の開示】
【発明が解決しようとする課題】
【０００３】
しかしながら、上記従来の技術では、処置具を挿通した鉗子チャンネル内が水や体液等の液体で濡れている場合、挿入部の外周面であるコイル状の巻線間に水や体液等の液体が溜まってしまい、鉗子栓から抜去する際に液体が内視鏡外で垂れ落ちることがあるため、この処理等のために手技が煩雑になってしまうという問題があった。
本発明は上記事情に鑑みて成されたものであり、鉗子口から処置具を抜去する際に処置具に付着した水や体液等が術者等に付着したり床や周囲に垂れ落ちたりすることを抑制し、手技の容易化を図ることができる内視鏡システムを提供することを目的とする。
【課題を解決するための手段】
【０００４】
本発明は、上記課題を解決するため、以下の手段を採用する。
本発明に係る内視鏡システムは、処置具を挿通可能な鉗子チャンネルと、該鉗子チャンネルに挿入された前記処置具に付着した液を取り除く液切り手段とを備えていることを特徴とする。
この内視鏡システムは、上記の構成を備えているので、液切り手段によって処置具に付着した水や体液等を取り除いた後、鉗子チャンネルに挿通した処置具を抜去することができる。
【０００５】
また、本発明に係る内視鏡システムは、前記内視鏡システムであって、前記液切り手段が、前記鉗子チャンネルの基端に設けられた鉗子口近傍に前記鉗子チャンネルに連通可能に配され、前記液を吸引する吸引源を備える吸引手段、又は前記液を飛散させる送気源を備える送気手段の少なくとも一方を備えていることを特徴とする。
この内視鏡システムは、上記の構成を備えているので、処置具に付着した水や体液等の液を吸引することによって、又は飛散させることによって処置具から取り除くことができる。
【０００６】
また、本発明に係る内視鏡システムは、前記内視鏡システムであって、前記液切り手段が、前記鉗子口に着脱可能とされた本体と、該本体に前記処置具が貫通可能に設けられ、一端が前記鉗子口と係合可能とされ他端が開口端とされた挿通路と、前記挿通路の他端側から分岐され、端部が前記本体の外部に開口されて前記吸引手段、又は前記送気手段と接続可能とされた連通路とを備えていることを特徴とする。
【０００７】
この内視鏡システムは、上記の構成を備えているので、鉗子口と挿通路の一端とを係合して連通路の開口端と吸引手段とを接続すると、挿通路の他端と吸引源とを繋ぐ流路を形成することができる。この状態で吸引源を駆動すると、挿通路の他端から挿通路内に空気が吸い込まれて連通路から吸引手段へと向かう空気の流れを形成することができる。したがって、この流れの中に処置具を配することによって、空気の流れが挿通路内の処置具に付着した水や体液等を処置具周囲から剥がして処置具の周囲から取り除くことができる。
或いは、連通路の開口端と送気手段とを接続して送気源を駆動することによって、連通路から挿通路内に空気が送気されて挿通路の他端から本体の外部へ抜ける空気の流れを形成することができる。したがって、この流れの中に処置具を配することによって、空気の流れが処置具に付着した水や体液等を吹き飛ばして処置具の周囲から取り除くことができる。
或いは、挿通路の他端或いは連通路の開口端の一方と送気手段とを接続し、他方と吸引手段とを接続することによっても、上述と同様の作用を生じさせることができる。
【０００８】
また、本発明に係る内視鏡システムは、前記内視鏡システムであって、前記連通路が第１の連通路と第２の連通路とを備え、前記挿通路の前記一端側に配され前記処置具が貫通可能な第１の弁部と、前記挿通路の前記他端側に着脱可能とされ前記処置具が貫通可能な第２の弁部とを備え、前記第１の連通路と前記第２の連通路とが、何れも前記第１の弁部と前記第２の弁部との間の前記挿通路から分岐されていることを特徴とする。
【０００９】
この内視鏡システムは、上記の構成を備えているので、鉗子口と挿通路の一端とを係合して第１の連通路の開口端或いは第２の連通路の開口端の一方と吸引手段とを接続すると、他方の連通路の開口端と吸引源とを繋ぐ流路を形成することができる。この状態で吸引源を駆動すると、他方の連通路の開口端から連通路内に空気が吸い込まれ挿通路を横断して一方の連通路へ向かう空気の流れを形成することができる。したがって、この流れの中に処置具を配することによって、この流れが処置具の周囲に付着した水や体液等を処置具周囲から剥がして処置具の周囲から取り除くことができる。
或いは、第１の連通路の開口端或いは第２の連通路の開口端の一方と送気手段とを接続して送気源を駆動することによって、この連通路の開口端から連通路内に空気を送気して挿通路を横断して他方の連通路の開口端へ抜ける空気の流れを形成することができる。したがって、この流れの中に処置具を配することによって、処置具の周囲に付着した水や体液等を吹き飛ばすことができ、処置具の周囲から取り除くことができる。
或いは、第１の連通路の開口端或いは第２の連通路の開口端の一方と送気手段とを接続し、他方と吸引手段とを接続することによって、上述と同様の作用を生じさせることができる。
【００１０】
また、本発明に係る内視鏡システムは、前記内視鏡システムであって、前記液切り手段が、前記鉗子口近傍の前記鉗子チャンネルから分岐され、端部が開口端とされて、前記吸引手段、又は前記送気手段と接続可能とされた連通路を備えていることを特徴とする。
この内視鏡システムは、上記の構成を備えているので、連通路の開口端と吸引手段とを接続することによって、鉗子チャンネルから連通路を通り吸引手段へと向かう空気の流れを形成することができる。したがって、この流れの中に処置具を配することによって、空気の流れが処置具の周囲に付着した水や体液等を処置具周囲から取り除くことができる。
或いは、連通路の開口端と送気手段とを接続することによって、連通路から鉗子チャンネル内に向かう空気の流れを形成することができる。したがって、この流れの中に処置具を配することによって、処置具の周囲に付着した水や体液等を吹き飛ばして処置具の周囲から取り除くことができる。
【００１１】
また、本発明に係る内視鏡システムは、前記内視鏡システムであって、前記液切り手段が、前記連通路を複数備えていることを特徴とする。
この内視鏡システムは、上記の構成を備えているので、一つの連通路の開口端と吸引手段とを接続し、他の連通路の開口端と送気手段とを接続することによって、鉗子チャンネルを介して送気手段と吸引手段とを接続する管路を形成することができる。したがって、送気手段に接続された一つの連通路から鉗子チャンネルを横切って吸引手段と接続された他の連通路へと向かう空気の流れを形成することができる。したがって、この流れの中に処置具を配することによって、空気の流れが処置具の周囲に付着した水や体液等を処置具周囲から取り除くことができる。
【００１２】
また、本発明に係る内視鏡システムは、前記内視鏡システムであって、可撓性を有して体腔内に挿入可能な挿入部と、該挿入部の基端に接続されてこれを操作可能な操作部と、
前記挿入部と前記操作部との内部を連通させる鉗子チャンネルと、前記操作部に設けられ前記鉗子チャンネル内部で処置具を自動的に挿抜可能とする自動挿抜機構と、該自動挿抜機構よりも挿入部側に配され前記鉗子チャンネル内を挿通する前記処置具に付着した液を取り除く液切り機構とを備え、該液切り機構が、前記処置具に付着した液を吸引する吸引源を備える吸引手段、又は前記液を飛散させる送気源を備える送気手段の少なくとも一方と、前記鉗子チャンネルから分岐され、前記操作部の外部に開口して前記吸引手段又は前記送気手段と接続可能とされた複数の連通路とを備えていることを特徴とする。
【００１３】
この内視鏡システムは、上記の構成を備えているので、内視鏡の鉗子チャンネルに挿通した処置具を自動挿抜機構によって抜去する際に、連通路の開口端に吸引手段を接続すると吸引源と鉗子チャンネルとが連通され、吸引手段を駆動することによって、処置具に付着した水や体液等を連通路を介して取り除くことができる。
或いは、連通路の開口端に送気手段を接続すると送気源と鉗子チャンネルとが連通され、送気手段を駆動することによって、処置具に付着した水や体液等を吹き飛ばして処置具から取り除くことができる。
【発明の効果】
【００１４】
本発明によれば、鉗子口から処置具を抜去する際に処置具の周囲から水や体液等が床や周囲に垂れ落ちたり、体液等が術者等に付着したりすることを抑制し、手技の容易化を図ることができる。
【発明を実施するための最良の形態】
【００１５】
本発明に係る第１の実施形態について、図１を参照しながら説明する。
本実施形態に係る内視鏡システム１は、可撓性を有して体腔内に挿入可能な挿入部２と、挿入部２の基端に接続されてこれを操作可能な操作部３と、挿入部２と操作部３との内部を連通し処置具５を挿通可能な鉗子チャンネル６とを備えた内視鏡７と、鉗子チャンネル６に挿入された処置具５に付着した液等を取り除く液切り手段８とを備えている。鉗子チャンネル６の基端には鉗子口１０が設けられている。
【００１６】
液切り手段８は、処置具５に付着した液を吸引する吸引装置（吸引手段）１１と、鉗子口１０に着脱可能とされて鉗子チャンネル６に連通可能に配された本体１２と、吸引装置１１と本体１２とを連通させる吸引配管１３とを備えている。
吸引装置１１は、吸引ポンプ等からなる吸引源Ｐと、吸引した液を貯蔵するボトル１５と、これらを連通させる連結配管１６とを備えている。
【００１７】
本体１２には、処置具５が貫通可能に設けられ一端１７ａが鉗子口１０と係合可能とされ他端１７ｂが開口端とされた挿通路１７と、挿通路１７の他端１７ｂ側から分岐され、端部１８ａが本体１２の外部に開口されて吸引装置１１と接続可能とされた連通路１８とが設けられている。これによって、本体１２を鉗子口１０に装着した際、挿通路１７の他端１７ｂと吸引源Ｐとを繋ぐ流路を形成する。
挿通路１７の一端１７ａ側には、本体１２を鉗子口１０に装着した際、処置具５を挿通可能とし、かつ、鉗子チャンネル６と外部とが連通するのを抑える弁部２０が設けられている。
【００１８】
次に、本実施形態に係る内視鏡システム１の使用方法、及び作用・効果について説明する。
まず、内視鏡７の鉗子口１０と本体１２の挿通路１７の一端１７ａとを接続して本体１２を鉗子口１０に取り付け、連通路１８の端部１８ａに吸引配管１３の一端を取り付ける。また、吸引配管１３の他端に吸引装置１１を接続する。
【００１９】
内視鏡７の挿入部２を体腔内に挿入し、操作部３を操作して挿入部２の先端を所定の患部に到達後、処置具５を本体１２の挿通路１７の他端１７ｂから挿入して鉗子口１０から鉗子チャンネル６内にさらに挿入する。
そして、所定の処置を行う。この際、鉗子チャンネル６を介して行う吸引処置等によって鉗子チャンネル６や処置具５の周囲に体液やこのときに使用した水等が付着する。
所定の処置を終了後、処置具５を鉗子チャンネル６から抜去する際、吸引源Ｐを駆動して液切り手段８を駆動する。このとき、吸引配管１３、連通路１８、及び、挿通路１７内が負圧となるため、挿通路１７の他端１７ｂから挿通路１７内に空気が吸引される。しかし、弁部２０にて挿通路１７が封止されているので、弁部２０から一端１７ａ側へは空気の流入が阻止され、吸引された空気は処置具５に沿って流れた後、連通路１８から吸引装置１１へと流れる。
【００２０】
このとき、挿通路１７内の弁部２０と他端１７ｂとの間に配された処置具５がこの空気の流れの中におかれるため、空気が処置具５の外周を流れる際に、処置具５の周囲に付着した水や体液等を流れの中に吸い取って取り除いていく。
取り除かれた水や体液は、連通路１８から吸引配管１３内を流れて吸引装置１１内の連結配管１６に至り、ボトル１５内を通過する間にボトル１５内に落ちて貯蔵される。
【００２１】
こうして、表面に水や体液等の付着がない状態で処置具５を挿通路１７から外部に抜去することができる。
この内視鏡システム１によれば、鉗子口１０から処置具５を抜去する際に処置具５の周囲から水や体液等を取り除くことができ、床や周囲に垂れ落ちて汚したり、体液等が術者等に付着したりすることを抑制し、手技の容易化を図ることができる。
【００２２】
次に、第２の実施形態について図２を参照しながら説明する。
なお、上述した第１の実施形態と同様の構成要素には同一符号を付すとともに説明を省略する。
第２の実施形態と第１の実施形態との異なる点は、第２の実施形態に係る内視鏡システム２１の液切り手段２２の本体２３に設けられた連通路２５が、処置具５が貫通可能に挿通路２６の一端２６ａ側に配された第１の弁部２７と、処置具５が貫通可能に挿通路２６の他端２６ｂ側に配された第２の弁部２８との間の挿通路２６から分岐された第１の連通路３０と、第１の弁部２７と第２の弁部２８との間の挿通路２６から第１の連通路３０と対向する位置から分岐された第２の連通路３１とを備えているとした点である。
第２の弁部２８は、本体２３に着脱可能な蓋部３２に設けられており、吸引配管１３は、第１の連通路３０の端部３０ａに装着される。
【００２３】
この内視鏡システム２１は、上記第１の実施形態に係る内視鏡システム１と同様の使用方法とされるが、吸引源Ｐを駆動して液切り手段２２を駆動すると、第１の弁部２７と第２の弁部２８とによって挿通路２６が封止されているため、空気が第２の連通路３１の開口端３１ａから吸い込まれると、挿通路２６を横切って第１の連通路３０へ流れる。
したがって、この内視鏡システム２１によれば、上記第１の実施形態と同様に、空気の流れの中に配された処置具５を横切って空気が流れるため、処置具５に付着した水や体液等を処置具５の周囲からより容易に取り除くことができる。
【００２４】
次に、第３の実施形態について図３を参照しながら説明する。
なお、上述した他の実施形態と同様の構成要素には同一符号を付すとともに説明を省略する。
第３の実施形態と第１の実施形態との異なる点は、第１の実施形態に係る内視鏡システム１の液切り手段８は、吸引装置１１と本体１２と吸引配管１３とを備えているとしたが、第３の実施形態に係る内視鏡システム３３の液切り手段３５は、送風機等からなり液を飛散させる送気源Ｂを有する送気装置（送気手段）３６と、内視鏡３７の鉗子口１０近傍の操作部３８内の鉗子チャンネル６から分岐され、端部４０ａが開口端とされて送気装置３６と接続可能とされた連通路４０と、送気装置３６と連通路４０とを連通させる送気配管４１とを備えているとした点である。
鉗子口１０には、鉗子チャンネル６と外部との連通を封止可能な鉗子栓４２が装着されている。
【００２５】
この内視鏡処置システム３３の使用方法、及び作用・効果について説明する。
まず、連通路４０の端部４０ａと送気配管４１の一端とを接続する。また、送気配管４１の他端に送気装置３６を接続する。
内視鏡３７の挿入部２を体腔内に挿入し、処置具５を鉗子栓４２から鉗子口１０に挿入して鉗子チャンネル６内にさらに挿入する。
次に所定の処置を行い、終了後に処置具５を鉗子チャンネル６から抜去する。
【００２６】
この際、送気装置３６を駆動して液切り手段３５を駆動すると、送気配管４１内に空気が送気され連通路４０内を流れて鉗子チャンネル６内に空気が送気される。このとき、鉗子栓４２にて鉗子チャンネル６の鉗子口１０側が封止されているため、空気は鉗子チャンネル６の先端方向に流れていく。また、鉗子チャンネル６内の処置具５にこの空気が吹き付けられることになるため、処置具５に付着した水や体液等を飛散させて取り除いていく。
取り除かれた水や体液は、空気とともに鉗子チャンネル６内を流される。
こうして、表面に水や体液等の付着がない状態で処置具５を鉗子栓４２から外部に抜去することができる。
この内視鏡システム３３によれば、送気によって上記他の実施形態と同様に、処置具５の周囲に空気の流れを形成させることができ、同様の作用・効果を得ることができる。
【００２７】
次に、第４の実施形態について図４を参照しながら説明する。
なお、上述した他の実施形態と同様の構成要素には同一符号を付すとともに説明を省略する。
第４の実施形態と第３の実施形態との異なる点は、第４の実施形態に係る内視鏡システム４３の内視鏡４５における鉗子口１０近傍に設けられた連通路４６が鉗子チャンネル６と交差して端部４６ａ、４６ｂがともに外部に開口して設けられ、液切り手段４７が、送気装置３６と送気配管４１とを備えているだけでなく、第１の実施形態における吸引装置１１と吸引配管１３とを備えているとした点である。
【００２８】
この内視鏡処置システム４３の使用方法、及び作用・効果について説明する。
まず、連通路４６の端部４６ａと送気配管４１の一端とを接続し、送気配管４１の他端に送気装置３６を接続する。同様に、連通路４６の端部４６ｂと吸引配管１３の一端とを接続し、吸引配管１３の他端に吸引装置１１を接続する。
そして、挿入部２を体腔内に挿入し処置具５による所定の処置を行う。処置の終了後、鉗子チャンネル６内に挿入した処置具を鉗子チャンネル６から抜去する。
【００２９】
このとき、送気装置３６の送気量と吸引装置１１の吸引量とが同じになるようにして両者を駆動すると、送気装置３６から送気配管４１内に空気が送気され、さらに連通路４６内を流れて鉗子チャンネル６内に空気が送気される。
送気された空気は、第３の実施形態の場合と異なり、吸引装置１１の吸引によって鉗子チャンネル６内よりも負圧とされた吸引配管１３内に流入し、吸引装置１１内に吸引される。
この際、鉗子チャンネル６内の処置具５を空気が横切って流れていくため、処置具５に付着した水や体液等を取り除くことができる。
【００３０】
この内視鏡システム４３によれば、上記他の実施形態と同様の作用・効果を得ることができるとともに、送気装置３６から送気された空気を吸引装置１１によって吸引するため、鉗子チャンネル６を介して体内に空気を供給してしまうことや付着した水や体液を体内に戻してしまうことなく処置具５に付着した水や体液等を除去することができる。
【００３１】
次に、第５の実施形態について図５を参照しながら説明する。
なお、上述した他の実施形態と同様の構成要素には同一符号を付すとともに説明を省略する。
第５の実施形態と上記他の実施形態との異なる点は、本実施形態に係る内視鏡システム４８の内視鏡５０が、操作部５１に設けられて鉗子チャンネル６内部で処置具５を自動的に挿抜可能とする自動挿抜機構５２と、自動挿抜機構５２よりも挿入部２側に配され鉗子チャンネル６内を挿通する処置具５に付着した液を取り除く液切り機構５３とを備えているとした点である。
【００３２】
自動挿抜機構５２は、操作部５１内に配され鉗子チャンネル６に挿通された処置具５を圧接可能な一対のローラ５５、５６と、一対のローラ５５、５６を回転駆動する図示しない駆動部とを備えている。駆動部はローラ５５と接続され、ローラ５６はローラ５５に連動して回転可能とされている。
液切り機構５３は、吸引装置１１と、吸引配管１３と、送気装置３６と、送気配管４１と、鉗子チャンネル６から分岐されて操作部５１の外部に開口し吸引配管１３と接続可能とされた第１の連通路５７と、送気配管４１と接続可能とされた第２の連通路５８とを備えている。
第１の連通路５７と第２の連通路５８とは、ローラ５５、５６よりも鉗子チャンネル６の先端側に、鉗子チャンネル６を挟んで互いに対向して配されている。
【００３３】
次に、この内視鏡システム４８の使用方法、作用・効果について説明する。
まず、吸引配管１３の一端を第１の連通路５７の開口端５７ａに接続し、他端に吸引装置１１を接続する。また、送気配管４１の一端を第２の連通路５８の開口端５８ａに接続し、他端に送気装置３６を接続する。
次に、鉗子チャンネル６内に処置具５を挿入する。そして、挿入部２を体腔内に挿入して駆動部にて一対のローラ５５、５６を回転駆動して処置具５を鉗子チャンネル６の先端側に前進させる。
【００３４】
所定の処置を終了後、挿入時とは逆方向に一対のローラ５５、５６を回転駆動して処置具５を抜去する。この際、上記第４の実施形態と同様に送気量と吸引量とが同じになるように、送気装置３６と吸引装置１１とを駆動する。このとき、送気装置３６から送気された空気は送気配管４１を流れ、第２の連通路５８から鉗子チャンネル６を横切って第１の連通路５７に流れ、吸引配管１３から吸引装置１１に吸引される。
【００３５】
このとき、処置具５の外周に付着した水や体液等が送気された空気によって処置具５から取り除かれて吸引装置１１にあわせて吸引される。
こうして、水や液等が除去された処置具５を一対のローラ５５、５６からさらに基端側に抜去することができる。
この内視鏡システム４８は、処置具５に付着した液や水の除去に関しては上記他の実施形態と同様の作用・効果を得ることができ、さらに、自動挿抜機構５２によって処置具５を挿抜させる場合、一対のローラ５５、５６が処置具５に付着した液や水が付着して駆動機能が低下してしまうのを抑えることができる。
【００３６】
なお、本発明の技術範囲は上記実施の形態に限定されるものではなく、本発明の趣旨を逸脱しない範囲において種々の変更を加えることが可能である。
例えば、第１の実施形態では、液切り手段８の本体１２における連通路１８の端部１８ａに吸引配管１３を接続したものとしているが、図６に示すように、液切り手段６０の本体６１における連通路６２の端部６２ａに送気配管４１を接続して送気装置３６による送気を行ってもよい。この場合、上記と同様の作用・効果を得ることができる。この際、挿通路６３の他端６３ｂの開口端に鉗子栓４２が備えられているため、送気された空気を処置具５に沿って鉗子チャンネル６に流すことができる。
また、第２の実施形態に係る液切り手段２２の本体２３を、図７に示すように、第１の連通路６４と第２の連通路６５とを形成した本体６６とし、これを鉗子口に装着して使用しても構わない。
【００３７】
さらに、図８に示すように、鉗子チャンネル６に挿通された処置具５を加熱可能なヒータ（液切り手段）６７を鉗子口１０近傍の鉗子チャンネル６に沿って配設しても構わない。この場合、処置具５の抜去時にヒータ６７を加熱させることによって、処置具５の外周に付着した液や水が加熱して蒸発し、処置具５の周囲から取り除くことができる。
【００３８】
また、図９に示すように、鉗子口１０を振動可能な振動ユニット（液切り手段）６８を鉗子栓４２の近傍に設けても構わない。この振動ユニット６８は、例えば、回転角度によって鉗子口１０に当接可能に偏心した図示しないおもりが接続された図示しないモータと、モータに電気を供給する図示しない電源と、モータの運転操作を行う図示しないスイッチとを備えている。
この場合、処置具５の抜去時に、スイッチを操作してモータを駆動してモータに接続されたおもりを回転させる。この際、おもりが処置具５に当接する毎に処置具５に振動を与えるため、この振動によって処置具５に付着した水や液を振り落とすことができる。
【図面の簡単な説明】
【００３９】
【図１】本発明の第１の実施形態に係る内視鏡システムの要部を示す一部断面を含む側面図である。
【図２】本発明の第２の実施形態に係る内視鏡システムの要部を示す一部断面を含む側面図である。
【図３】本発明の第３の実施形態に係る内視鏡システムの要部を示す一部断面を含む側面図である。
【図４】本発明の第４の実施形態に係る内視鏡システムの要部を示す一部断面を含む側面図である。
【図５】本発明の第５の実施形態に係る内視鏡システムの要部を示す一部断面を含む側面図である。
【図６】本発明の他の実施形態に係る内視鏡システムの要部を示す側面図である。
【図７】本発明の他の実施形態に係る内視鏡システムの液切り手段の要部を示す側面図である。
【図８】本発明の他の実施形態に係る内視鏡システムの要部を示す一部断面を含む側面図である。
【図９】本発明の他の実施形態に係る内視鏡システムの要部を示す一部断面を含む側面図である。
【符号の説明】
【００４０】
１、２１、３３、４３、４８  内視鏡システム
２  挿入部
３、３８、５１  操作部
５  処置具
６  鉗子チャンネル
７、３７、４５、５０  内視鏡
８、２２、３５、４７  液切り手段
１０  鉗子口
１１  吸引装置（吸引手段）
１２、２３  本体
１７、６３  挿通路
１８、２５、４０、４６、６２  連通路
２７  第１の弁部
２８  第２の弁部
３０、６４  第１の連通路
３１、６５  第２の連通路
３６  送気装置（送気手段）
５２  自動挿抜機構
５３  液切り機構
６７  ヒータ（液切り手段）
６８  振動ユニット（液切り手段）
【図１】
2005177208.tif 000003
【図２】
2005177208.tif 000004
【図３】
2005177208.tif 000005
【図４】
2005177208.tif 000006
【図５】
2005177208.tif 000007
【図６】
2005177208.tif 000008
【図７】
2005177208.tif 000009
【図８】
2005177208.tif 000010
【図９】
2005177208.tif 000011